(57)【要約】 【課題】  種々の家電機器に対して円滑に装着できる新規かつ有用なアダプタおよびコネクタを提案する。【解決手段】  アダプタ１００は、箱状の本体ケースによって外形を画しており、前面には、底面方向に断面Ｌ字状に切り欠かれた凹部１０１が形成されている。この凹部１０１には、内部回路に対して電気信号を入出力するためのコネクタ１０２が配されている。かかるコネクタ１０２は板状端子から構成されており、アダプタ１００が機器本体に装着されたとき、機器本体側のコネクタ２００と接合される。コネクタ１０２は、底面と前面が外部に開放されているため、前方から、あるいは、底面側から機器側のコネクタに接合できる。よって、スロットイン方式の装着部の他、嵌め込み方式の装着部にも対応できる。【選択図】    図１
2005157804.tif 000002
【特許請求の範囲】
【請求項１】
内部回路を有し、本体機器に装着されることにより、本体機器に所定の機能を付加するアダプタであって、
箱状形状からなる本体ケースの側縁に少なくとも２方向が開放されるように凹部を形成し、電気信号を入出力するためのコネクタを前記凹部に配した
ことを特徴とするアダプタ。
【請求項２】
前記本体ケースを前記本体機器に前記２方向の何れかの方向に装着したときに装着方向とは逆方向の脱落を係止するためのロック手段を前記本体ケースに形成したことを特徴とする請求項１に記載のアダプタ。
【請求項３】
前記凹部は、本体ケースの前端面を底面または上面方向にほぼ断面Ｌ字状に切り欠くようにして形成されていることを特徴とする請求項１または２に記載のアダプタ。
【請求項４】
前記凹部は、本体ケースの端面を上面から底面まで部分的に切り欠くことようにして形成されていることを特徴とする請求項１または２に記載のアダプタ。
【請求項５】
前記凹部は、本体ケースの端面とこれに連接する面に複数の凹みを形成することにより配されており、それぞれ凹みには前記コネクタの端子が配されていることを特徴とする請求項１または２に記載のアダプタ。
【請求項６】
前記コネクタは、前記装置本体側のコネクタ端子と接続される板状の接触片を有し、該接触片は、前記２方向の何れに対しても板面が傾斜するように配されていることを特徴とする請求項１ないし４の何れかに記載のアダプタ。
【請求項７】
前記コネクタは、前記２方向に対してほぼ平行となるように前記凹部に植立された板部と、該板部の板面から傾斜しながら隆起するように形成された突部とを有することを特徴とする請求項１ないし４の何れかに記載のアダプタ。
【請求項８】
基部の側縁に少なくとも２方向が開放されるように凹部を形成し、電気信号を入出力するためのコネクタ端子を前記凹部に配し、前記コネクタ端子は、前記２方向の何れに対しても板面が傾斜するように配され接触片を具備することを特徴とするコネクタ。
【請求項９】
基部の側縁に少なくとも２方向が開放されるように凹部を形成し、電気信号を入出力するためのコネクタ端子を前記凹部に配し、前記コネクタ端子は、前記２方向に対してほぼ平行となるように前記凹部に植立するように配された板部と、該板部の板面から傾斜しながら隆起するように形成された突部とを具備することを特徴とするコネクタ。
【発明の詳細な説明】
【技術分野】
【０００１】
本発明は、本体機器に装着されることにより本体機器に所定の機能を付加するアダプタおよび当該アダプタを本体機器に接続する際に用いて好適なコネクタに関するものである。
【背景技術】
【０００２】
ホームネットワークを利用して家庭内機器を制御する、いわゆるネットワーク家電システムに対応した種々の家電機器が各社から提案・商品化されている。これらの家電機器の中には、ネットワーク家電としての使用に対応した機能・構成があらかじめ配備されているものがあるが、こうすると、家電機器をネットワーク対応として使用しない場合に、ネットワーク対応に掛けられたコスト分だけ機器コストが割高となってしまう。
【０００３】
そこで、別種の家電機器では、アダプタを別途準備し、当該アダプタを家電機器に装着することにより、後付け的に、家電機器にネットワーク対応としての機能を付加するようにしている。つまり、ネットワーク対応として使用したいユーザのみアダプタを購入し、これにより、機器本体のコストの上昇を抑えながら、ユーザのニーズに応えるようにしている。
【０００４】
この種の家電機器では、通常、メーカ毎あるいは機器毎に専用のアダプタが準備されており、機器をネットワーク対応とする場合、ユーザは機器毎にアダプタを購入しなければならない。しかし、一度、ネットワーク対応として使用してみてから、最終的にネットワーク対応として使用するかを決定したい場合もあり、専用のアダプタが準備されていると、このような場合に、ユーザのニーズに的確に応えられない。つまり、ネットワーク対応として使用してみてから、ネットワーク対応とする必要性が薄いと判断した場合には、折角購入したアダプタが無駄になってしまう。
【０００５】
また、機器を一時的にネットワーク対応としたい場合もあり、上記のように専用のアダプタが準備されている場合には、このような場合にも、別途、アダプタを購入しなければならなくなる。しかし、一時的な使用のためにわざわざアダプタを購入するのは、コスト的にも効率的ではなく、また、ユーザの利便性を損なう結果ともなる。
【０００６】
このような点を考慮すると、アダプタを汎用型として、種々の機器に使い回しできるようにするのが望ましい。これにより、ネットワーク対応として機器を使用する場面を拡張でき、また、ユーザの利便性を追及できる。その結果、ネットワーク家電システムの普及・発展を促すことができるものと期待される。
【０００７】
しかし、ホームネットワークに接続される家電機器は、形状、機能、使用形態が機器毎にまちまちであるため、アダプタの装着方式を画一化するのは難しい。アダプタの装着方式は、機器の形状や機能等の制約を受け、スロットイン方式や嵌めこみ方式等、機器毎に最適な装着方式が相違する。このため、アダプタを汎用型とする場合には、それぞれの家電機器に適した装着方式に円滑に対応できるよう、アダプタおよびコネクタの構造を工夫・改良する必要がある。
【０００８】
なお、以下の特許文献１ないし３には、回動あるいは横倒し可能なコネクタおよびアダプタが記載されている。
【特許文献１】特許第３４４４８６６号公報
【特許文献２】特開平１０−１５４５４３号公報
【特許文献３】特開平７−２５４４４３号公報
【発明の開示】
【発明が解決しようとする課題】
【０００９】
本発明は、特に、ホームネットワークシステムにてアダプタを汎用型として用いる場合に生ずる上記課題に着目し、種々の家電機器に対して円滑に装着できる新規かつ有用なアダプタおよびコネクタを提案するものである。
【課題を解決するための手段】
【００１０】
請求項１の発明は、内部回路を有し、本体機器に装着されることにより、本体機器に所定の機能を付加するアダプタであって、箱状形状からなる本体ケースの側縁に少なくとも２方向が開放されるように凹部を形成し、電気信号を入出力するためのコネクタを前記凹部に配したことを特徴とする。
【００１１】
請求項２の発明は、請求項１に記載のアダプタにおいて、前記本体ケースを前記本体機器に前記２方向の何れかの方向に装着したときに装着方向とは逆方向の脱落を係止するためのロック手段を前記本体ケースに形成したことを特徴とする。
【００１２】
請求項３の発明は、請求項１または２に記載のアダプタにおいて、前記凹部は、本体ケースの端面をこれに連接する面方向に断面ほぼＬ字状に切り欠くようにして形成されていることを特徴とする。
【００１３】
請求項４の発明は、請求項１または２に記載のアダプタにおいて、前記凹部は、本体ケースの端面を上から下まで部分的に切り欠くことようにして形成されていることを特徴とする。
【００１４】
請求項５の発明は、請求項１または２に記載のアダプタにおいて、前記凹部は、本体ケースの端面とこれに連接する面に複数の凹みを形成することにより配されており、それぞれ凹みには前記コネクタの端子が配されていることを特徴とする。
【００１５】
請求項６の発明は、請求項１ないし４の何れかに記載のアダプタ前記コネクタは、前記装置本体側のコネクタ端子と接続される板状の接触片を有し、該接触片は、前記２方向の何れに対しても板面が傾斜するように配されていることを特徴とする。
【００１６】
請求項７の発明は、請求項１ないし４の何れかに記載のアダプタにおいて、前記コネクタは、前記２方向に対してほぼ平行となるように前記凹部に植立された板部と、該板部の板面から傾斜しながら隆起するように形成された突部とを有することを特徴とする。
【００１７】
請求項８の発明は、基部の側縁に少なくとも２方向が開放されるように凹部を形成し、電気信号を入出力するためのコネクタ端子を前記凹部に配し、前記コネクタ端子は、前記２方向の何れに対しても板面が傾斜するように配され接触片を具備することを特徴とするコネクタである。
【００１８】
請求項９の発明は、基部の側縁に少なくとも２方向が開放されるように凹部を形成し、電気信号を入出力するためのコネクタ端子を前記凹部に配し、前記コネクタ端子は、前記２方向に対してほぼ平行となるように前記凹部に植立するように配された板部と、該板部の板面から傾斜しながら隆起するように形成された突部とを具備することを特徴とするコネクタである。
【００１９】
なお、上記において、「箱状形状」とは、角型の箱状形状の他、曲面状の箱状形状も含むものであり、また、コネクタとして装着されるものであれば、薄いカード状としたものも含むものである。
【００２０】
本発明の特徴は、以下に示す実施の形態の説明により更に明らかとなろう。
【００２１】
ただし、以下の実施の形態は、あくまでも、本発明の一つの実施形態であって、本発明ないし各構成要件の用語の意義は、以下の実施の形態に記載されたものに制限されるものではない。
【発明の効果】
【００２２】
本発明によれば、少なくとも水平方向および垂直方向の２方向から、アダプタを本体機器に装着することができ、よって、スロットイン方式、嵌めこみ方式等、種々の装着方式に対応し得るアダプタを提供できる。特に、請求項６または８の如くコネクタ端子を構成することにより、何れの方向からアダプタを装着した場合にも、端子を面接触させることができ、コネクタ間の電気的接続状態を良好にすることができる。その他、本発明の効果は、以下に示す実施の形態の説明によって、明確に理解されるものと思われる。
【発明を実施するための最良の形態】
【００２３】
以下、本発明の実施の形態につき図面を参照して説明する。
【００２４】
まず、図１および図２に実施の形態に係るアダプタ１００の構成を示す。
【００２５】
アダプタ１００は、一定の高さを有する箱状の本体ケースによって外形を画しており、前面には、底面方向に断面Ｌ字状に切り欠かれた凹部１０１が形成されている。かかるアダプタ１００内には、たとえば機器本体に装着されたときに当該機器にネットワーク対応の機能を導入するための回路が内蔵されており、前記凹部１０１には、当該回路に対して電気信号を入出力するためのコネクタ１０２が配されている。かかるコネクタ１０２は板状端子から構成されており、アダプタ１００が機器本体に装着されたとき、機器本体側のコネクタ２００と接合される。さらに、アダプタ１００の前面には、アダプタ１００が嵌め込み方式の装着部（機器本体側：後述）に装着されるときに、機器本体側の係止爪（後述）が嵌り込んでアダプタ１００の脱落を抑制するための外付用ロック凹み１０３が形成されている。
【００２６】
また、アダプタ１００の左右の側面には、当該アダプタ１００をスロットイン方式の装着部（機器本体側：後述）に装着するときに、機器本体側のガイド（後述）と係合してアダプタ１００の進行を案内するスロット用溝１０４が形成されている。なお、かかるスロット用溝１０４の前端部は、機器本体側のガイドと係合しやすいように、テーパが形成されている。さらに、アダプタ１００の左右の側面には、当該アダプタ１００がスロットイン方式の装着部に装着されるときに、機器本体側の係止爪（後述）が嵌り込んでアダプタ１００の脱落を抑制するためのスロット用ロック凹み１０５が、後端部の裏面側の位置に形成されている。
【００２７】
また、アダプタ１００の背面には、アダプタ１００が嵌め込み方式の装着部に装着されるときに、機器本体側の突起（後述）が嵌り込んでアダプタ１００の脱落を抑制するための外付用つめ穴１０６が形成されている。
【００２８】
図３に、機器本体側に配されたコネクタ２００の構成を示す。
【００２９】
コネクタ２００の基部には、断面Ｌ字状の凹部２０１が複数形成されている。それぞれの凹部２０１には、機器本体側の回路ユニットに対して電気信号を入出力するための接続端子が配されている。かかる接続端子は、可撓性の板状部２０２と、板状部２０２の上部に形成された半球状の突部２０３と、板状部２０２に延設されたピン２０４からなっており、ピン２０４を凹部２０１の孔に嵌入することにより、凹部２０１に植設されている。
【００３０】
図４および図５に、機器本体側に配されたスロットイン方式の装着部の構成を示す。
【００３１】
装着部は、シャーシ３０１と、シャーシ３０１上に設置された一対のガイド３０２と、シャーシ３０１上に設置された一対の係止爪３０３と、バネ３０４と、ピン３０５と、機器本体のフロントパネル４００に形成されたアダプタ挿入用の挿入口４０１から構成されている。
【００３２】
ガイド３０２は断面ト字状に形成されており、シャーシ３０１から植立する壁部３０２ａと、シャーシ３０１面に平行に突出し、且つ、アダプタ１００のスロット用溝１０４と係合する突条３０２ｂから構成されている。なお、壁部３０２ａの前端部には、係止爪３０３の爪部３０３ａが挿通して移動できるように切り欠きが形成されている。
【００３３】
係止爪３０３は、シャーシ３０１に回動自在に軸支されており、爪部３０３ａとは反対側の端部がバネ３０４により引っ張り方向に付勢されている。かかる付勢によって係止爪３０３はそれぞれ時計方向および反時計方向の回動力を受けるが、この回動が、シャーシ３０１に植設されたピン３０５によって規制されている。
【００３４】
なお、シャーシ３０１には、最深部に上記コネクタ２００が、前面側が挿入口４０１方向を向くようにして装着されている。また、挿入口４０１は、その上下寸法および左右寸法が外部から内部方向に次第に小さくなるようにテーパ面が形成されており、外部から見て最深部の挿入口４０１の形状は、アダプタ１００の外形寸法よりも少しだけ大きくなっている。この挿入口４０１は、一対のガイド３０２の前端部に臨むように位置付けられている。
【００３５】
図４（ａ）の如くして、アダプタ１００をコネクタ１０２が下になるように挿入口４０１に挿入すると、アダプタ１００の左右の側面に形成されたスロット用溝１０４がガイド３０２の突条３０２ｂと係合し、これにより水平方向の移動が案内される。しかる後、アダプタ１００がさらに押し込まれると、アダプタ１００の前面下部が、係止爪３０３の爪部３０３ａに当接し、同図（ｂ）に示すように、バネ３０４の付勢に抗して、係止爪３０３が押し広げられる。その後、さらにアダプタ１００が押し込まれると、アダプタ１００はガイド３０２に案内されて水平に移動し（同図（ｃ）参照）、やがて、アダプタ１００の前端部下面に配されたコネクタ１０２の板状端子がそれぞれコネクタ２００の凹部２０１内に進入する。このとき、コネクタ１０２の板状端子はコネクタ２００内の突部２０３に当接し、板状部２０２を側方に撓ませる。これにより、コネクタ１０２の板状端子とコネクタ２００の接続端子が電気的に接続される。
【００３６】
その後、アダプタ１００が最深部まで押し込まれると、アダプタ１００のスロット用ロック凹み１０５が係止爪３０３の爪部３０３ａの位置に到達し、バネ３０４による付勢力によって、爪部３０３ａがアダプタ１００のスロット用ロック凹み１０５に嵌り込む。これにより、アダプタ１００の脱落が抑制され、アダプタ１００のコネクタ１０２と機器本体側のコネクタ２００の接続が固持される。これにより、アダプタ１００の装着が完了する。
【００３７】
なお、図４および図５には、アダプタ１００を抜き取るための機構は図示省略している。かかる機構は、たとえば、スロット用ロック凹み１０５に対する係止爪３０３の嵌入を解除する機構と、アダプタ１００の前端に当接してアダプタを挿入口４０１方向に押し出す機構と、これを、パネル４００に配されたプッシュ式の操作レバーに連携させる機構から構成することができる。
【００３８】
図６に、機器本体側に配された嵌め込み方式の装着部の構成を示す。なお、図６（ａ）は図６（ｂ）のＡ−Ａ’断面図である。
【００３９】
装着部は、フロントパネルに形成された凹部３１１と、凹部３１１の後端側側面に形成された一対の突起３１２と、シャーシ３１３と、凹部３１１の底面に形成された円形開口から凹部３１１内に突出する一対の付勢部材３１４と、凹部３１１の前端側側面に形成された穴から凹部３１１内に突出する一対の係止爪３１５から構成されている。
【００４０】
ここで、凹部３１１は、アダプタ１００の外形寸法よりも少しだけ大きく形成されている。また、付勢手段３１４は、シャーシ３１３との間に介在するバネによって上方向に付勢されている。さらに、係止爪３１５は、凹部３１１内に突出した部分の上面に図示の如くテーパ面が形成されている。なお、凹部３１１には、前端部近傍位置に上記コネクタ２００が、その前面側が突起３１２の方向を向くようにして装着されている。
【００４１】
かかる装着部に対してアダプタ１００を装着する場合には、まず、図７（ａ）に示す如く、アダプタ１００の背面に形成された外付用つめ穴１０６を突起３１２に係合させた状態で、アダプタ１００の前端を凹部３１１方向に回動させる。すると、アダプタ１００の底面が付勢部材３１４に当接し、バネの付勢に抗して、これを下方に押し込める。また、アダプタ１００の前端部が係止爪３１５のテーパ面に当接し、バネの付勢に抗して、これを左方に押し込める。同時に、アダプタ１００の前端部下面に配されたコネクタ１０２の板状端子がそれぞれコネクタ２００の凹部２０１内に進入する。このとき、コネクタ１０２の板状端子はコネクタ２００内の突部２０３に当接し、板状部２０２を側方に撓ませる。これにより、コネクタ１０２の板状端子とコネクタ２００の接続端子が電気的に接続される。
【００４２】
その後、アダプタ１００の前端が最深部まで押し込まれると、アダプタ１００の外付用用ロック凹み１０３が係止爪３１５の前端位置に到達し、バネによる付勢力によって、係止爪３１５の前端がアダプタ１００の外付用ロック凹み１０３に嵌り込む。これにより、アダプタ１００の脱落が抑制され、アダプタ１００のコネクタ１０２と機器本体側のコネクタ２００の接続が固持される。これにより、アダプタ１００の装着が完了する。
【００４３】
なお、図６には、アダプタ１００を取り外すための機構は図示省略している。かかる機構は、たとえば、外付用ロック凹み１０３に対する係止爪３１５の嵌入を解除する機構と、この機構を、フロントパネルに配されたスライド式の操作レバーに連携させる機構から構成することができる。かかる機構の操作によって、外付用ロック凹み１０３に対する係止爪３１５の嵌入が解除されると、付勢部材３１４によってアダプタ１００が上方に持ち上げられ、アダプタ１００の取り外しが可能となる。
【００４４】
以上、本実施の形態によれば、一つのアダプタ１００をスロットイン方式の装着部にも、嵌め込み方式の装着部にも装着することができる。したがって、機器本体側に装着部配設上の制約がある場合においても、スロットイン方式の装着部か、嵌め込み方式の装着部の何れか一方を装着できさえすれば、上記実施の形態におけるアダプタ１００を適宜、機器本体に装着できるようになる。このように、本実施の形態によれば、アダプタ装着の際の設計自由度を向上させることができ、汎用アダプタを装着できる対象機器を拡張させることができる。
【００４５】
なお、本発明は上記実施の形態に限定されるものではなく、他に種々の変更が可能であることは言うまでもない。以下、実施形態の変更例を開示しておく。
【００４６】
図８および図９は、コネクタ２００の変更例を示すものである。上記実施の形態に比べ、凹部２０１内に配される接続端子の構成が変更されている。図８（ａ）は、かかる接続端子の展開図を示す。図示の如く、接続端子は、板状部２１１と、接触片２１２と、ピン２１３からなっている。接触片２１２を、同図（ａ）から（ｂ）の状態になるように、同図（ａ）の点線位置で折り曲げる。これにより、同図（ｃ）に示すような接続端子が形成される。
【００４７】
かかる接続端子は、同図の前方から見ても、上方から見ても、接触片２１２が傾斜した状態にある。よって、アダプタ１００側のコネクタ１０２の板状端子が、同図の前方から接触片２１２に当接しても、あるいは、同図の上方から接触片２１２に当接しても、当接片２１２は板状部２１１側に撓み、板状端子の進行を妨げない。このとき、接触片２１２は板状であるため、接触片２１２と板状端子は面接触し、両者間の電気的接合は良好となる。
【００４８】
図９に、かかる接続端子をコネクタ２００の凹部２０１に配した状態を示す。かかる場合、上記の如く、アダプタ１００側のコネクタ１０２の板状端子が、前方から接触片２１２に当接しても、あるいは、上方から接触片２１２に当接しても、当接片２１２は板状部２１１側に撓み、板状端子の進行を妨げないことから、かかるコネクタ２００を上記図４および図６に示すコネクタとして用いた場合にも、上記実施の形態と同様の効果を奏することができる。加えて、このコネクタ２００によれば、上記のように、アダプタ１００側のコネクタ１０２との電気的接合がより良好となる効果を奏することができる。
【００４９】
図１０は、アダプタ１００の変更例を示すものである。上記実施の形態に比べ、凹部１０１の構成が変更されている。すなわち、本変更例においては、前端面に断面コ字状に切り欠いた凹部１０１が形成されている。かかる変更例においては、コネクタ１０２の前側と下側に加え、上側も外部に開放されている。よって、上記実施の形態のようにアダプタ１００を前方向または下方向移動させて装着部に装着する形態に加え、アダプタ１００を上方向に移動させて装着部に装着するようにすることもできる。
【００５０】
さらに、図１１に示すように、凹部１０１の深さをコネクタ１０２の板状端子の突出量よりも小さくして、板状端子の前端部を全周に亘って外部に開放するようにしても良い。但し、この場合、板状端子の前端に物体が衝突して板状端子が損傷する可能性が増大する。
【００５１】
また、図１２に示すように、凹部１０１を両側面まで延設するようにしてもよい。こうすると、アダプタ１００の横寸法が小さくなっても、コネクタ１０２の端子を多数配置することができる。この場合、外付用ロック凹み１０３は図示のように配すればよいが、アダプタ１００の厚みが小さくなり、前面に外付用ロック凹み１０３を配することができない場合は、前部側面に配するか、あるいは、スロット用溝１０４を外付用ロック凹みとして共用するようにしてもよい。
【００５２】
図１３は、アダプタ１００側に、上記コネクタ２００の構成を採用した場合の変更例を示すものである。この変更例では、図示の如く、断面Ｌ字状の凹部１０１がアダプタ１００の前端面に複数個形成されており、それぞれの凹部１０１に接続端子が配されている。ここで、凹部１０１内に配される接続端子は、上記図４あるいは図９の接続端子とすればよい。
【００５３】
図１４は、図１３の凹部１０１を上面まで切り欠いて形成した変更例を示すものである。この変更例によれば、アダプタ１００を前方向または下方向移動させて装着部に装着する形態に加え、アダプタ１００を上方向に移動させて装着部に装着するようにすることもできる。ただし、アダプタ１００を上方向に移動させて装着部に装着する場合には、図９の接続端子を採用することはできない。かかる場合には、アダプタ１００を上方向に移動させて装着部に装着しても接続端子が良好に撓むよう、図４の接続端子を使用する必要がある。
【００５４】
図１５は、前端面および底面に複数の円形凹部を形成し、各凹部に接続端子を配して、コネクタ１０２を形成した例を示すものである。ここで、それぞれの凹部には、ピン状の接続端子が配されている。かかるコネクタ１０２は、前端面および底面の他、上面側に配するようにしても良い。
【００５５】
この他、コネクタ１０２の配設位置は、適宜変更可能である。また、アダプタ１００の脱落を抑止するロック機構は、上記に限定されず、他の構成を採用することもできる。さらに、洗濯機等、水を使う機器に装着部を配する場合には、装着部およびアダプタに防水手段を配する必要がある。たとえば、図６の場合には、凹部３１１内全面に防水フィルムを装着する等の措置を講じ、さらに、アダプタ１００のコネクタ１０２と、凹部３１１側のコネクタ２０２の接合箇所から水が浸入しないような措置を講ずる必要がある。また、振動が激しい機器にあっては、上記ロック機構に加え、防振対策を強化するための構成を追加するのが望ましい。
【００５６】
その他、本発明の実施の形態は、特許請求の範囲に示された技術的思想の範囲内において、適宜、種々の変更が可能である。
【図面の簡単な説明】
【００５７】
【図１】実施の形態に係るアダプタの構成を示す図
【図２】実施の形態に係るアダプタの構成を示す図
【図３】実施の形態に係るコネクタの構成を示す図
【図４】実施の形態に係る装着部の構成およびアダプタの装着動作を示す図
【図５】実施の形態に係る装着部の構成およびアダプタの装着動作を示す図
【図６】実施の形態に係る装着部の構成を示す図
【図７】実施の形態に係るアダプタの装着動作を示す図
【図８】変更例に係る接続端子の構成を示す図
【図９】変更例に係るコネクタの構成を示す図
【図１０】変更例に係るアダプタの構成を示す図
【図１１】変更例に係るアダプタの構成を示す図
【図１２】変更例に係るアダプタの構成を示す図
【図１３】変更例に係るアダプタの構成を示す図
【図１４】変更例に係るアダプタの構成を示す図
【図１５】変更例に係るアダプタの構成を示す図
【符号の説明】
【００５８】
１００  アダプタ
１０１  凹部
１０２  コネクタ
１０３  外付用ロック凹み
１０４  スロット用溝
１０５  スロット用ロック凹み
１０６  外付用つめ穴
２００  コネクタ
２０１  凹部
２０２  板状部
２０３  突部
２１１  板状部
２１２  接触片
【図１】
2005157804.tif 000003
【図２】
2005157804.tif 000004
【図３】
2005157804.tif 000005
【図４】
2005157804.tif 000006
【図５】
2005157804.tif 000007
【図６】
2005157804.tif 000008
【図７】
2005157804.tif 000009
【図８】
2005157804.tif 000010
【図９】
2005157804.tif 000011
【図１０】
2005157804.tif 000012
【図１１】
2005157804.tif 000013
【図１２】
2005157804.tif 000014
【図１３】
2005157804.tif 000015
【図１４】
2005157804.tif 000016
【図１５】
2005157804.tif 000017